(57)【要約】【課題】複数の表示装置を用いて所定の画像を表示する画像表示システムにおいて、所定の画像を表示した後の外観が損なわれることを低減させる表示装置を提供する。【解決手段】表示装置は、複数の表示装置を用いて所定の画像を表示する画像表示システムの前記表示装置であって、当該表示装置に係る情報を表示部に表示させる第１の表示制御部と、前記所定の画像を表示するための制御情報を受信する受信部と、前記所定の画像の画像データを取得する取得部と、前記受信部が受信する前記制御情報と、前記取得部が取得する前記所定の画像の画像データとに基づいて、前記所定の画像の一部を前記表示部に表示させる第２の表示制御部と、を有し、前記第１の表示制御部は、前記第２の表示制御部による表示が終了した後、当該表示装置に係る情報を前記表示部に表示させる制御を中止する。【選択図】図５
2018017841.tif 000002
【特許請求の範囲】
【請求項１】
複数の表示装置を用いて所定の画像を表示する画像表示システムの前記表示装置であって、
当該表示装置に係る情報を表示部に表示させる第１の表示制御部と、
前記所定の画像を表示するための制御情報を受信する受信部と、
前記所定の画像の画像データを取得する取得部と、
前記受信部が受信する前記制御情報と、前記取得部が取得する前記所定の画像の画像データとに基づいて、前記所定の画像の一部を前記表示部に表示させる第２の表示制御部と、
を有し、
前記第１の表示制御部は、
前記第２の表示制御部による表示が終了した後、当該表示装置に係る情報を前記表示部に表示させる制御を中止する表示装置。
【請求項２】
前記取得部が取得する所定の画像の画像データを用いて、前記表示部に前記所定の画像を表示させる第３の表示制御部を有し、
前記第１の表示制御部は、
前記第３の表示制御部による表示が終了した後、当該表示装置に係る情報を前記表示部に表示させる請求項１に記載の表示装置。
【請求項３】
前記第２の表示制御部による表示が行われる場合、前記第２の表示制御部による表示が行われることを示す第１の情報を記憶し、
前記第３の表示制御部による表示が行われる場合、前記第３の表示制御部による表示が行われることを示す第２の情報を記憶する表示状態記憶部を有する請求項２に記載の表示装置。
【請求項４】
前記表示状態記憶部は、不揮発性の記憶部であることを特徴とする請求項３に記載の表示装置。
【請求項５】
前記第１の表示制御部は、
前記表示状態記憶部に前記第１の情報が記憶されている場合、当該表示装置に係る情報を前記表示部に表示させる制御を中止する請求項３に記載の表示装置。
【請求項６】
当該表示装置の設定が変更された場合、前記設定が変更されたことを示す情報を他の表示装置に通知する通知部を有する請求項１乃至５のいずれか一項に記載の表示装置。
【請求項７】
前記第１の表示制御部は、
前記他の表示装置から、前記設定が変更されたことを示す情報を受付した場合、当該表示装置に係る情報を前記表示部に表示させる請求項６に記載の表示装置。
【請求項８】
複数の表示装置を用いて所定の画像を表示する画像表示システムであって、
前記複数の表示装置の各々は、
当該表示装置に係る情報を表示部に表示させる第１の表示制御部と、
前記所定の画像を表示するための制御情報を受信する受信部と、
前記所定の画像の画像データを取得する取得部と、
前記受信部が受信する前記制御情報と、前記取得部が取得する前記所定の画像の画像データとに基づいて、前記所定の画像の一部を前記表示部に表示させる第２の表示制御部と、
を有し、
前記第１の表示制御部は、
前記第２の表示制御部による表示が終了した後、当該表示装置に係る情報を前記表示部に表示させる制御を中止することを特徴とする画像表示システム。
【請求項９】
複数の表示装置を用いて所定の画像を表示する画像表示システムによる表示制御方法であって、
前記表示装置が、
当該表示装置に係る情報を表示部に表示させる第１の表示制御ステップと、
前記所定の画像を表示するための制御情報を受信する受信ステップと、
前記所定の画像の画像データを取得する取得ステップと、
前記受信した制御情報と、前記取得した所定の画像の画像データとに基づいて、前記所定の画像の一部を前記表示部に表示させる第２の表示制御ステップと、
を含み、
前記第１の表示制御ステップは、
前記第２の表示制御ステップによる表示が終了した後、当該表示装置に係る情報を前記表示部に表示させる制御を中止することを特徴とする表示制御方法。
【請求項１０】
請求項９に記載の表示制御方法を、表示装置に実行させるためのプログラム。
【発明の詳細な説明】
【技術分野】
【０００１】
本発明は、表示装置、画像表示システム、表示制御方法、及びプログラムに関する。
【背景技術】
【０００２】
マルチプロジェクション（マルチ投影）は、複数のプロジェクタを用いて大画面を投影する技術であり、単一のディスプレイを用いて大画面を表示する場合と比べて、安価に大画面を実現することができるというメリットがある。
【０００３】
これに関連する技術として、複数の投影手段で投影した校正用画像を撮影手段で撮影し、撮影した複数の校正用画像を用いて、複数の投影手段の各々から投影する投影画像に与える補正係数を計算する投影システムが知られている（例えば、特許文献１参照）。
【０００４】
また、プロジェクタの位置に応じてメニューやエラー等の画面を表示させることにより、ユーザが、メニューやエラー等の画面を表示しているプロジェクタを特定することを容易にするマルチプロジェクションシステムが知られている（例えば、特許文献２参照）。
【発明の概要】
【発明が解決しようとする課題】
【０００５】
例えば、複数のプロジェクタと、複数のプロジェクタを制御する情報処理装置を用いて１つの画像を大画面に表示させるマルチ投影を行う場合、複数のプロジェクタと情報処理装置とを接続する複数の映像ケーブルや、映像ケーブルの接続等の準備作業が必要となる。
【０００６】
一方、複数のプロジェクタと、情報処理装置との間を無線通信で接続することにより、映像ケーブルを削減することができるが、無線通信の接続処理や、プロジェクタの位置と分割出力する映像との対応関係を設定する等の準備作業が必要となる。例えば、各プロジェクタの投影画面にプロジェクタに接続するための接続情報を表示させて、利用者が、複数のプロジェクタを制御する情報処理装置に各プロジェクタの接続情報を入力する等の準備作業が必要となる。
【０００７】
しかし、例えば、デジタルサイネージ等の用途でマルチプロジェクションシステムを利用する場合、表示を終了した後に、各プロジェクタが設定情報等を表示すると、マルチプロジェクションシステムの一体感が失われ、外観が損なわれるという問題がある。
【０００８】
なお、このような課題は、プロジェクタを用いたマルチプロジェクションシステムに限られず、例えば、液晶ディスプレイ等、他の複数の表示装置を用いて１つの画像を表示させる様々な画像表示システムに共通に存在する。
【０００９】
本発明の実施の形態は、上記問題点に鑑みてなされたものであって、複数の表示装置を用いて所定の画像を表示する画像表示システムにおいて、所定の画像を表示した後の外観が損なわれることを低減させる表示装置を提供することを目的とする。
【課題を解決するための手段】
【００１０】
上記課題を解決するため、本発明の一実施形態に係る表示装置は、複数の表示装置を用いて所定の画像を表示する画像表示システムの前記表示装置であって、当該表示装置に係る情報を表示部に表示させる第１の表示制御部と、前記所定の画像を表示するための制御情報を受信する受信部と、前記所定の画像の画像データを取得する取得部と、前記受信部が受信する前記制御情報と、前記取得部が取得する前記所定の画像の画像データとに基づいて、前記所定の画像の一部を前記表示部に表示させる第２の表示制御部と、を有し、前記第１の表示制御部は、前記第２の表示制御部による表示が終了した後、当該表示装置に係る情報を前記表示部に表示させる制御を中止する。
【発明の効果】
【００１１】
本発明の実施の形態によれば、複数の表示装置を用いて所定の画像を表示する画像表示システムにおいて、所定の画像を表示した後の外観が損なわれることを低減させる表示装置を提供することができる。
【図面の簡単な説明】
【００１２】
【図１】一実施形態に係る画像表示システムのシステム構成の一例を示す図である。
【図２】一実施形態に係る接続操作の一例について説明するための図（１）である。
【図３】一実施形態に係る接続操作の一例について説明するための図（２）である。
【図４】一実施形態に係るプロジェクタのハードウェア構成例を示す図である。
【図５】一実施形態に係る画像表示システムの機能構成図である。
【図６】第１の実施形態に係る画像表示システムの表示処理の例を示すシーケンス図（１）である。
【図７】第１の実施形態に係る画像表示システムの表示処理の例を示すシーケンス図（２）である。
【図８】第１の実施形態に係る表示装置に関する情報の表示処理の例を示すフローチャートである。
【図９】第１の実施形態に係るプロジェクタの処理の例を示すシーケンス図（１）である。
【図１０】第１の実施形態に係るプロジェクタの処理の例を示すシーケンス図（２）である。
【図１１】第２の実施形態に係る画像表示システムの表示処理の例を示すシーケンス図である。
【発明を実施するための形態】
【００１３】
以下に、本発明の実施の形態について、添付の図面を参照して説明する。
【００１４】
＜システムの構成＞
図１は一実施形態に係る画像表示システムの構成の一例を示す図である。画像表示システム１００は、複数のプロジェクタ（表示装置）１０１−１、１０１−２、１０１−３、及び情報端末１０２が、ネットワークを介して、互いに通信可能に接続されている。図１の例では、複数のプロジェクタ１０１−１、１０１−２、１０１−３、及び情報端末１０２は、無線ＬＡＮ（Local Area Network）のアクセスポイント１０５に接続されており、無線ＬＡＮ通信により、互いに通信可能である。
【００１５】
なお、以下の説明の中で、複数のプロジェクタ１０１−１〜１０１−３のうちの任意のプロジェクタを示す場合「プロジェクタ１０１」を用いる。また、複数のプロジェクタ１０１−１〜１０１−３の数は一例であって、２台以上の他の数であっても良い。
【００１６】
また、プロジェクタは、複数の表示装置を用いて所定の画像を表示する画像表示システム１００で用いられる表示装置の一例である。画像表示システム１００で用いられる表示装置プロジェクタは、例えば、液晶ディスプレイ等の他の表示装置であっても良い。
【００１７】
プロジェクタ１０１は、投影面１０６に投影画像を投影する画像投影装置である。画像表示システム１００は、例えば図１に示すように、プロジェクタ１０１−１の投影領域１０７−１と、プロジェクタ１０１−２の投影領域１０７−２との一部が重複するように配置されている。また、プロジェクタ１０１−２の投影領域１０７−２と、プロジェクタ１０１−３の投影領域１０７−３との一部が重複するように配置されている。また、画像表示システム１００は、３つの投影領域１０７−１〜１０７−３を用いて、例えば、１つの投影画像（動画、又は静止画）１０８を表示するマルチ投影を行うことができる。
【００１８】
また、プロジェクタ１０１は、投影対象となる画像データを記憶するための、例えば、ＵＳＢ（Universal Serial Bus）メモリ等の外部記憶装置１０９を接続するためのインタフェースを有している。また、プロジェクタ１０１は、投影対象となる画像データを、無線ＬＡＮ等のネットワークを介して取得するものであっても良い。
【００１９】
情報端末１０２は、例えば、ＰＣ（Personal Computer）、タブレット端末等の情報処理装置であり、複数のプロジェクタ１０１−１〜１０１−３と、無線ＬＡＮ通信により画像情報や、制御情報等の通信を行うことができる。なお、無線ＬＡＮ通信は、複数のプロジェクタ１０１−１〜１０１−３と、情報端末１０２との間の無線通信方式の一例である。本実施形態に係る無線通信方式は、例えば、ＵＷＢ（Ultra Wide Band）等の無線ＰＡＮ（Personal Area Network）によるものであっても良いし、他の無線通信方式によるものであっても良い。
【００２０】
情報端末１０２は、複数のプロジェクタ１０１−１〜１０１−３を用いて、投影面１０６に、各プロジェクタ１０１の投影領域よりも大きい大画面で所定の画像を投影するマルチ投影（マルチプロジェクション）の制御を行う。
【００２１】
カメラ１０３は、例えば、ユーザの操作等により投影面１０６に投影された校正用の画像を撮影するための撮影装置である。なお、カメラ１０３は、図１のように単体の撮影装置であっても良いし、例えば、情報端末１０２や、プロジェクタ１０１等に内蔵されたカメラを用いるものであっても良い。
【００２２】
図２、３は、一実施形態に係る画像表示システムの接続操作の一例について説明するための図である。プロジェクタ１０１−１は、所定の操作（例えば、電源オン等）に応じて、又は投影ジョブがない待受状態のとき等に、例えば、図２に示すように、投影面１０６にプロジェクタ１０１−１の識別コード２０１−１を表示する。この識別コード２０１−１は、情報端末１０２の画像表示システム１００用のアプリケーションプログラム（以下、制御用アプリと呼ぶ）に入力することにより、情報端末１０２とプロジェクタ１０１−１との間の無線接続を確立するために用いられる。
【００２３】
同様にプロジェクタ１０１−２は、前述の所定の操作に応じて、又は待受状態のとき等に、投影面１０６にプロジェクタ１０１−２の識別コード２０１−２を表示する。また、プロジェクタ１０１−３は、前述の所定の操作に応じて、又は待受状態のとき等に、投影面１０６にプロジェクタ１０１−３の識別コード２０１−３を表示する。
【００２４】
図３は、情報端末１０２で動作する制御用アプリの接続操作画面３００の一例を示している。接続操作画面３００には、プロジェクタの台数を入力するためのＰＪ（プロジェクタ）台数の入力欄３０１が含まれる。図２では、複数のプロジェクタ１０１−１〜１０１−３は、横に３台並べて配置されているため、ＰＪ台数の入力欄３０１には、複数のプロジェクタ１０１−１〜１０１−３の配置に応じた横「３」、縦「１」のプロジェクタの台数を入力する。
【００２５】
接続操作画面３００には、ＰＪ台数の入力欄３０１に入力されたプロジェクタ１０１の台数に応じて、識別コードの入力欄３０２が表示される。図３の例では、識別コードの入力欄３０２には、ＰＪ台数の入力欄３０１に入力された、横「３」、縦「１」の値に応じて、プロジェクタ１０１の識別コードを入力するための３つの入力欄が横方向に３つ並べて表示されている。つまり、識別コードの入力欄３０２には、複数のプロジェクタ１０１−１〜１０１−３の配置に応じた識別コードの入力欄が表示される。
【００２６】
画像表示システム１００のユーザは、投影面１０６に表示された複数のプロジェクタ１０１−１〜１０１−３の識別コード２０１−１〜２０１−３を見ながら、接続操作画面３００の識別コードの入力欄３０２に、各プロジェクタ１０１の識別コードを入力する。
【００２７】
識別コードの入力欄３０２に各プロジェクタ１０１の識別コードを入力した後、ユーザが、例えば、接続操作画面３００の「次へ」ボタンを選択（押下）する。これに応じて、情報端末１０２の制御用アプリは、識別コードの入力欄２０４に入力された識別コードを用いて、各プロジェクタ１０１と無線ＬＡＮ通信による接続を確立する。これにより、画像表示システム１００は、複数のプロジェクタ１０１−１〜１０１−３と情報端末１０２との無線接続を確立し、また、複数のプロジェクタ１０１−１〜１０１−３の相対的な位置関係を認識することができる。例えば、情報端末１０２の制御用アプリは、複数のプロジェクタ１０１−１〜１０１−３が、左から、プロジェクタ１０１−１、プロジェクタ１０１−２、プロジェクタ１０１−３の順番に並べられていると認識することができる。
【００２８】
このように、プロジェクタ１０１は、所定の操作に応じて、又は表示対象となる画像がない待受状態のとき等に、プロジェクタ１０１に関する情報（例えば、図２に示す識別コード、エラーコード等）を表示する待受画面を投影（表示）する。
【００２９】
しかし、例えば、画像表示システム１００が、図１に示すような投影画像１０８の投影を終了した後に、投影面１０６に、図２に示すような、プロジェクタ１０１に関する情報が個別に表示されてしまうと、投影面１０６の外観が損なわれるという問題がある。
【００３０】
そこで、本実施形態に係るプロジェクタ１０１は、例えば、図１に示すような、複数のプロジェクタを用いて所定の画像を表示するマルチ投影が終了した後、例えば、図２に示すようなプロジェクタ１０１に関する情報を表示させる処理を中止する。
【００３１】
好ましくは、プロジェクタ１０１は、最後に行った投影が、マルチ投影であったか、単独で投影を行う単独投影であったかを、不揮発性の記憶部に記憶しておく。また、プロジェクタ１０１は、最後に行った投影がマルチ投影である場合。図２に示すようなプロジェクタ１０１に関する情報を表示させる制御を中止し、例えば、黒画面を表示する。
【００３２】
このように、本実施形態によれば、複数の表示装置（プロジェクタ１０１）を用いて所定の画像を表示する画像表示システム１００において、所定の画像を表示した後の外観が損なわれることを低減させる表示装置を提供することができる。
【００３３】
＜ハードウェア構成＞
（プロジェクタのハードウェア構成）
図４は、一実施形態に係るプロジェクタのハードウェア構成例を示す図である。プロジェクタ１０１は、一般的なコンピュータの構成を含み、例えば、ＣＰＵ（Central Processing Unit）４０１、メモリ４０２、ストレージ部４０３、ネットワークＩ／Ｆ（Interface）４０４、外部機器Ｉ／Ｆ４０５、画像処理部４０６、音声出力部４０７、画像投影部４０８、操作部４０９、及びバス４１０等を有する。
【００３４】
ＣＰＵ４０１は、メモリ４０２やストレージ部４０３等からプログラムやデータを読出し、処理を実行することでプロジェクタ１０１が備える各機能を実現する演算装置である。メモリ４０２は、例えば、ＣＰＵ４０１のワークエリア等として使用されるＲＡＭ（Random Access Memory）や、プロジェクタ１０１の起動プログラム等を格納するＲＯＭ（Read Only Memory）等を含む。
【００３５】
ストレージ部４０３は、プロジェクタ１０１のプログラムや、画像データ等を記憶する大容量の記憶手段であり、例えば、ＳＳＤ（Solid State Drive）や、ＨＤＤ（Hard Disk Drive）等によって構成される。
【００３６】
ネットワークＩ／Ｆ４０４は、情報端末１０２や、他のプロジェクタ１０１等と無線通信を行うためのインタフェースであり、例えば、無線ＬＡＮ、無線ＰＡＮ等の無線通信部を含む。
【００３７】
外部機器Ｉ／Ｆ４０５は、外部機器を接続するためのインタフェースである。外部機器には、例えば、ＵＳＢメモリ、メモリカード、光学ディスク等の記録媒体等が含まれる。
【００３８】
画像処理部４０６は、投影対象となる画像データに対して、例えば、デコードや、変倍、切り出し等の様々な画像処理を実行する。
【００３９】
音声出力部４０７は、画像データ（例えば、動画データ）に含まれる音声を出力する音声回路や、スピーカ等によって構成される。
【００４０】
画像投影部４０８は、画像を投影面１０６に投影するための、光源、表示素子、投影レンズ等を含む。操作部４０９は、利用者の操作を受付けるための、キーや、タッチパネル等の入力デバイスである。バス４１０は、上記各構成に接続され、アドレス信号、データ信号、各種制御信号等を伝達する。
【００４１】
＜機能構成＞
図５は、一の実施形態に係る画像表示システムの機能構成図である。
【００４２】
（プロジェクタの機能構成）
プロジェクタ１０１は、通信部５０１、画像データ取得部５０２、画像処理制御部５０３、投影ジョブ制御部５０４、投影部５０５、操作受付部５０６、表示制御部５０７、表示状態記憶部５０８、及び変更情報通知部５０９等を有する。なお、図５において、プロジェクタ１０１−２は、プロジェクタ１０１−１と同様の構成を有しているものとする。
【００４３】
通信部（受信部）５０１は、例えば、無線ＬＡＮ通信等により、情報端末１０２、及び他のプロジェクタ１０１と通信するための手段であり、例えば、図４のネットワークＩ／Ｆ４０４、及び図４のＣＰＵ４０１で実行されるプログラム等によって実現される。通信部５０１は、例えば、情報端末１０２から画像の投影するための制御情報や、投影する画像データを特定するための画像情報等の情報を受信する受信手段として機能する。
【００４４】
画像データ取得部（取得部）５０２は、例えば、外部記憶装置１０９や、ネットワーク等から、表示対象となる画像データを取得する手段であり、例えば、図４のＣＰＵ４０１で実行されるプログラム等によって実現される。
【００４５】
画像処理制御部５０３は、例えば、図４の画像処理部４０６を用いて、画像データ取得部５０２が取得した画像データに対して、例えば、デコードや変倍等の画像処理を実行して、投影部５０５が投影する画像データを生成する。例えば、図１に示すようなマルチ投影を行う場合、プロジェクタ１０１−１の画像処理制御部５０３は、情報端末１０２から受信した制御情報に従って、例えば、図１のプロジェクタ１０１−１の投影領域１０７−１に示されているような投影画像の画像データを生成する。画像処理制御部５０３は、例えば、図４に示す画像処理部４０６、及び図４のＣＰＵ４０１で実行されるプログラム等によって実現される。
【００４６】
投影ジョブ制御部５０４は、例えば、情報端末１０２等から受付ける画像の投影に関する制御を行う手段であり、例えば、図４のＣＰＵ４０１で実行されるプログラムによって実現される。
【００４７】
投影部（表示部）５０５は、図４の画像投影部４０８の制御を行い、投影画像を投影面１０６に投影する制御を行う手段であり、例えば図４のＣＰＵ４０１で実行されるプログラムによって実現される。投影部５０５は、例えば、画像投影部４０８に含まれる光源のオン、オフ、明るさの調整、表示素子の制御、投影レンズの制御等を行う。
【００４８】
操作受付部５０６は、図４の操作部４０９に対する利用者の操作を受付ける手段であり、例えば、図４の操作部４０９、及び図４のＣＰＵ４０１で実行されるプログラム等によって実現される。
【００４９】
表示制御部５０７は、例えば、プロジェクタ１０１が表示する様々な表示画像の表示制御を行う手段であり、例えば、及び図４のＣＰＵ４０１で実行されるプログラム等によって実現される。表示制御部５０７は、例えば、第１の表示制御部５１１、第２の表示制御部５１２、及び第３の表示制御部５１３等を含む。
【００５０】
第１の表示制御部５１１は、例えば、図２に示す識別コード２０１等、プロジェクタ１０１に関する情報を含む表示画面（以下、待受画面と呼ぶ）を、投影部（表示部）５０５に表示させる。
【００５１】
第１の表示制御部５１１は、例えば、プロジェクタ１０１に電源が投入されたとき、投影対象となる画像データがないとき等に、プロジェクタ１０１に関する情報を含む待受画面を、投影部５０５に表示させる制御を実行する。
【００５２】
また、第１の表示制御部５１１は、例えば、図１に示すように、複数のプロジェクタで１つの所定の画像を投影するマルチ投影を終了した後は、プロジェクタ１０１に関する情報を含む待受画面を、投影部５０５に表示させる制御を中止する。
【００５３】
第２の表示制御部５１２は、通信部（受信部）５０１が、情報端末１０２から受信する制御情報と、画像データ取得部５０２が取得した所定の画像の画像データとに基づいて、所定の画像の少なくとも一部を、投影部５０５に投影させるマルチ投影を制御する。
【００５４】
例えば、図１において、プロジェクタ１０１−１の第２の表示制御部５１２は、投影画像１０８のうち、プロジェクタ１０１−１の投影領域１０７−１の画像を、投影部５０５に表示させる。このように、第２の表示制御部５１２は、プロジェクタ１０１がマルチ投影を行う場合の表示制御を行う。
【００５５】
第３の表示制御部５１３は、例えば、画像データ取得部５０２が、外部記憶装置１０９、又はネットワーク等から取得した画像データを、投影部５０５に投影させる単独投影を制御する。
【００５６】
表示状態記憶部５０８は、第２の表示制御部５１２により、マルチ投影が行われる場合、マルチ投影が行われたことを示す情報（第１の情報）を記憶する。また、表示状態記憶部５０８は、第３の表示制御部５１３により、単独投影が行われる場合、単独投影が行われたことを示す情報（第２の情報）を記憶する。表示状態記憶部５０８は、例えば、図４のストレージ部４０３、及び図４のＣＰＵ４０１で実行されるプログラム等によって実現される。
【００５７】
変更情報通知部５０９は、例えば、マルチ投影が行われた後、プロジェクタ１０１の設定が変更された場合、他のプロジェクタに、設定が変更されたことを示す変更情報を通知する。変更情報通知部５０９は、例えば、図４のＣＰＵ４０１で実行されるプログラムによって実現される。
【００５８】
好ましくは、第１の表示制御部５１１は、マルチ投影が終了した後、待受画面の表示を中止し、他のプロジェクタ１０１から、設定が変更されたことを示す変更情報を受付けたとき、待受画面の表示を再開する。
【００５９】
＜処理の流れ＞
続いて、画像表示システムによる表示制御方法の処理の流れについて説明する。
【００６０】
［第１の実施形態］
（画像表示システムの処理）
図１１、１２は、第１の実施形態に係る画像表示システムの表示処理の例を示すシーケンス図である。なお、図１１に示す処理の開始時点において、各プロジェクタ１０１は、例えば、図１に示すように配置されており、無線ＬＡＮでアクセスポイント１０５に接続されているものとする。また、各プロジェクタ１０１に接続された外部記憶装置１０９には、表示対象となる所定の画像の画像データが格納されているものとする。
【００６１】
なお、プロジェクタ１０１の数が増えても、各プロジェクタに関する処理は同様なので、ここでは、２台のプロジェクタに対する処理について説明を行う。
【００６２】
ステップＳ６０１、Ｓ６０２において、画像表示システム１００のユーザは、情報端末１０２にインストールされた、画像表示システム１００用の制御アプリを起動させる。
【００６３】
ステップＳ６０３において、ユーザがプロジェクタ１０１−１の電源をオンする。
【００６４】
ステップＳ６０４において、プロジェクタ１０１−１の第１の表示制御部５１１は、例えば、図２に示すような識別コード２０２−１（識別コード１）を含む待受画面を、プロジェクタ１０１−１の投影領域１０７−１に表示（投影）する。
【００６５】
ステップＳ６０５において、ユーザがプロジェクタ１０１−２の電源をオンする。
【００６６】
ステップＳ６０５において、プロジェクタ１０１−２の第１の表示制御部５１１は、例えば、図２に示すような識別コード２０２−２（識別コード２）を含む待受画面を、プロジェクタ１０１−２の投影領域１０７−２に表示（投影）する。
【００６７】
なお、プロジェクタ１０１の数が３台以上である場合、同様の処理を、３台目以降のプロジェクタ１０１に対して実行する。
【００６８】
ステップＳ６０７において、ユーザは、例えば、図３に示すような、接続操作画面３００の識別コードの入力欄３０２に、識別コード１、識別コード２を入力する。
【００６９】
ステップＳ６０８において、情報端末１０２は、ステップ６０７で入力された識別コード１を用いて、プロジェクタ１０１−１と通信を確立する。
【００７０】
ステップＳ６０９において、情報端末１０２は、ステップ６０７で入力された識別コード２を用いて、プロジェクタ１０１−２と通信を確立する。
【００７１】
ステップＳ６１０において、情報端末１０２は、校正用の画像の投影を指示する投影指示を、プロジェクタ１０１−１に送信する。この投影指示には、例えば、校正用の画像データが含まれる。
【００７２】
ステップＳ６１１において、プロジェクタ１０１−１の第３の表示制御部５１３は、情報端末１０２から受付けた投影指示に従って、校正用の画像を投影（単独投影）する。
【００７３】
ステップＳ６１２において、情報端末１０２は、校正用の画像の投影を指示する投影指示を、プロジェクタ１０１−２に送信する。この投影指示には、例えば、校正用の画像データが含まれる。
【００７４】
ステップＳ６１３において、プロジェクタ１０１−２の第３の表示制御部５１３は、情報端末１０２から受付けた投影指示に従って、校正用の画像を投影（単独投影）する。
【００７５】
続いて、ステップＳ６１４において、情報端末１０２は、各プロジェクタ１０１と、カメラ１０３とを用いて、例えば、特許文献１に示されるような校正処理を実行する。なお、本実施形態では、校正処理は任意の方法であって良い。この校正処理により、マルチ投影を行う際に、各プロジェクタが、表示対象となる所定の画像データに、どのような画像処理を行うかを示す画像処理パラメータが算出される。
【００７６】
なお、表示装置が、液晶ディスプレイ等の表示装置である場合は、ステップＳ６１０〜Ｓ６１８に示す処理は省略することができる。
【００７７】
ステップＳ６１５において、情報端末１０２は、校正用の画像の投影終了を指示する投影終了指示を、プロジェクタ１０１−１に送信する。
【００７８】
ステップＳ６１６において、プロジェクタ１０１−１の第３の表示制御部５１３は、校正用の画像の投影を終了し、第１の表示制御部５１１は、例えば、図２に示すような待受画面を、プロジェクタ１０１−１の投影領域１０７−１に再び投影する。
【００７９】
ステップＳ６１７において、情報端末１０２は、校正用の画像の投影終了を指示する投影終了指示を、プロジェクタ１０１−２に送信する。
【００８０】
ステップＳ６１８において、プロジェクタ１０１−２の第３の表示制御部５１３は、校正用の画像の投影を終了し、第１の表示制御部５１１は、例えば、図２に示すような待受画面を、プロジェクタ１０１−２の投影領域１０７−２に再び投影する。
【００８１】
続いて、図７に示すシーケンス図について説明する。
【００８２】
ステップＳ７０１において、ユーザは、情報端末１０２に対して、マルチ投影の開始操作を行う。
【００８３】
ステップＳ７０２において、情報端末１０２は、ユーザからマルチ投影の開始操作を受付すると、プロジェクタ１０１−１に、マルチ投影の開始指示を送信する。このマルチ投影の開始指示には、例えば、図６のステップＳ６２４の校正処理で算出された、プロジェクタ１０１−１の補正パラメータを含む制御情報１、及び投影の対象となる所定の画像の画像データを特定する情報（ファイル名等）が含まれる。
【００８４】
ステップＳ７０３において、情報端末１０２は、プロジェクタ１０１−２に、マルチ投影の開始指示を送信する。このマルチ投影の開始指示には、例えば、図６のステップＳ６２４の校正処理で算出された、プロジェクタ１０１−２の補正パラメータを含む制御情報２、及び投影の対象となる所定の画像の画像データを特定する情報が含まれる。
【００８５】
ステップＳ７０４において、プロジェクタ１０１−１は、マルチ投影の開始指示で指定された所定の画像の画像データを取得し、制御情報１で指定された画像処理を行った画像（所定の画像の第１部分）を投影する。
【００８６】
例えば、プロジェクタ１０１−１は、図１に示す投影画像１０８のうち、プロジェクタ１０１−１の投影領域１０７−１に対応する画像を、投影面１０６に投影する。
【００８７】
ステップＳ７０５において、プロジェクタ１０１−２は、マルチ投影の開始指示で指定された所定の画像の画像データを取得し、制御情報２で指定された画像処理を行った画像（所定の画像の第２部分）を投影する。
【００８８】
例えば、プロジェクタ１０１−２は、図１に示す投影画像１０８のうち、プロジェクタ１０１−２の投影領域１０７−２に対応する画像を、投影面１０６に投影する。
【００８９】
ステップＳ７０６において、ユーザは、情報端末１０２に対して、マルチ投影の終了操作を行う。
【００９０】
ステップＳ７０７において、情報端末１０２は、ユーザからマルチ投影の終了操作を受付すると、プロジェクタ１０１−１に、マルチ投影の終了指示を送信する。また、ステップＳ７０８において、情報端末１０２は、プロジェクタ１０１−２に、マルチ投影の終了指示を送信する。
【００９１】
ステップＳ７０９において、プロジェクタ１０１−１の第２の表示制御部５１２は、マルチ投影を終了させる。また、第１の表示制御部５１１は、第２の表示制御部５１２によるマルチ投影が終了した後、例えば、図２に示すような待受画面を表示させる制御を中止する。例えば、第１の表示制御部５１１は、黒画面（又は白画面）等、予め定められた色の画面を表示させる。
【００９２】
ステップＳ７１０において、プロジェクタ１０１−２の第２の表示制御部５１２は、マルチ投影を終了させる。また、第１の表示制御部５１１は、第２の表示制御部５１２によるマルチ投影が終了した後、例えば、図２に示すような待受画面を表示させる制御を中止する。
【００９３】
このように、本実施形態に係るプロジェクタ（表示装置の一例）１０１は、複数のプロジェクタ１０１で所定の画像を表示するマルチ投影が終了した後、プロジェクタ１０１に関する情報を表示する待受画面の投影を行わない。
【００９４】
ステップＳ７１１において、ユーザは、プロジェクタ１０１−１の電源をオフし、ステップ７１２において、ユーザは、プロジェクタ１０１−２の電源をオフする。
【００９５】
また、ステップＳ７１３において、ユーザは、プロジェクタ１０１−１の電源を再びオンさせ、ステップＳ７１４において、ユーザは、プロジェクタ１０１−２の電源を再びオンにする。
【００９６】
ステップＳ７１５において、プロジェクタ１０１−１は、電源がオフされる前に、マルチ投影が行われていた場合、プロジェクタ１０１−１に関する情報を表示する待受画面を表示させる制御を中止する。
【００９７】
同様に、ステップＳ７１６において、プロジェクタ１０１−２は、電源がオフされる前に、マルチ投影が行われていた場合、プロジェクタ１０１−２に関する情報を表示する待受画面を表示させる制御を中止する。
【００９８】
（表示装置に関する情報の表示処理）
図８は、第１の実施形態に係る表示装置に関する情報の表示処理の例を示すフローチャートである。この処理は、例えば、プロジェクタ１０１に電源が投入されたときや、プロジェクタ１０１が投影対象となる画像を投影していないとき等に、プロジェクタ１０１の第１の表示制御部５１１が実行する待受画面の表示処理の例を示している。
【００９９】
ステップＳ８０１において、プロジェクタ１０１の第１の表示制御部５１１は、最後に投影対象となる画像を投影したときにマルチ投影を行ったか否かを判断する。
【０１００】
例えば、プロジェクタ１０１の第２の表示制御部５１２は、第２の表示制御部５１２によりマルチ投影が行われる場合、マルチ投影が行われることを示す情報を、表示状態記憶部５０８に記憶する。また、プロジェクタ１０１の第３の表示制御部５１３は、第３の表示制御部５１３により単独投影が行われる場合、単独投影が行われることを示す情報を、表示状態記憶部５０８に記憶する。
【０１０１】
これにより、第１の表示制御部５１１は、表示状態記憶部５０８に最後に記憶された情報を参照することにより、最後に投影対象となる画像を投影したとき、マルチ投影を行ったか否かを判断することができる。
【０１０２】
最後に投影対象となる画像を投影したときの投影が、マルチ投影ではないと判断された場合（単独投影と判断された場合）、第１の表示制御部５１１は、処理をステップＳ８０２に移行させて、待受画面を表示させる制御を実行する。
【０１０３】
一方、最後に投影対象となる画像を投影したときの投影が、マルチ投影であると判断された場合、第１の表示制御部５１１は、ステップＳ８０２の待受画面を表示させる制御を中止して、処理を終了させる。
【０１０４】
（プロジェクタの処理）
図９、１０は、第１の実施形態に係るプロジェクタの処理の例を示すシーケンス図である。この処理は、プロジェクタ１０１の内部処理の例を示している。
【０１０５】
ステップＳ９０１において、ユーザは、プロジェクタ１０１の電源をオンさせる操作を行う。
【０１０６】
ステップＳ９０２において、プロジェクタ１０１の操作受付部５０６は、プロジェクタ１０１の電源がオンされると、入力モードを表示制御部５０７に通知する。
【０１０７】
例えば、プロジェクタ１０１の入力モードには、ネットワークから入力される投影ジョブを実行する「ネットワーク」と、外部機器Ｉ／Ｆ４０５に接続されるＵＳＢメモリ等に格納された投影ジョブを実行する「ＵＳＢ」とがあるものとする。また、プロジェクタ１０１の入力モードの既定値は、「ネットワーク」であるものとする。
【０１０８】
ステップＳ９０３において、表示制御部５０７の第１の表示制御部５１１は、投影部５０５に、プロジェクタ１０１に関する情報（例えば、識別コード、エラー情報等）を表示する待受画面を表示させる。
【０１０９】
ステップＳ９０４において、プロジェクタ１０１の投影部５０５は、第１の表示制御部５１１の制御に従って、例えば、図２に示すような識別コードを含む待受画面を、投影面１０６に投影（表示）する。
【０１１０】
ステップＳ９０５において、ユーザは、情報端末１０２に対して、マルチ投影の開始操作を行う。
【０１１１】
ステップＳ９０６において、情報端末１０２は、ユーザによるマルチ投影の開始操作を受付すると、プロジェクタ１０１に、マルチ投影の開始指示を送信する。このマルチ投影の開始指示には、前述したように、例えば、図６のステップＳ６２４の校正処理で算出されたプロジェクタ１０１の補正パラメータを含む制御情報、及び投影の対象となる所定の画像の画像データを特定する情報（ファイル名等）が含まれる。
【０１１２】
ステップＳ９０７において、プロジェクタ１０１の通信部（受信部）５０１は、情報端末１０２から送信されたマルチ投影の開始指示を受信し、受信したマルチ投影の開始指示を、投影ジョブ制御部５０４に通知する。
【０１１３】
ステップＳ９０８において、プロジェクタ１０１の投影ジョブ制御部５０４は、マルチ投影の開始指示に含まれる画像情報を用いて、画像データ取得部５０２に、投影対象となる画像の画像データの取得を指示する。
【０１１４】
ステップＳ９０９において、画像データ取得部５０２は、例えば、外部機器Ｉ／Ｆ４０５に接続された外部記憶装置１０９等から、投影対象となる画像データを取得し、メモリ４０２に記憶する。
【０１１５】
ステップＳ９１０において、画像データ取得部５０２は、画像データの取得が完了したことを示す完了通知を、投影ジョブ制御部５０４に通知する。
【０１１６】
ステップＳ９１１において、投影ジョブ制御部５０４は、マルチ投影の開始指示に含まれる制御情報を用いて、画像処理制御部５０３に画像処理を指示する。
【０１１７】
ステップＳ９１２において、画像処理制御部５０３は、投影ジョブ制御部５０４から通知された制御情報に従って、画像データ取得部５０２が取得した画像データに対して、例えば、デコード、変倍、切り出し等の画像処理を実行する。
【０１１８】
ステップＳ９１３において、投影ジョブ制御部５０４は、表示制御部５０７にマルチ投影の開始を指示する。
【０１１９】
ステップＳ９１４において、表示制御部５０７の第２の表示制御部５１２は、投影ジョブ制御部５０４から、マルチ投影の開始の指示を受付すると、表示状態記憶部５０８にマルチ投影が行われることを示す情報（第１の情報）を記憶する。
【０１２０】
ステップＳ９１５において、第２の表示制御部５１２は、画像処理制御部５０３が画像処理を行った画像、例えば、投影画像（静止画、又は動画）の第１部分を、投影部５０５に表示させる。
【０１２１】
ステップＳ９１６において、プロジェクタ１０１の投影部５０５は、表示制御部５０７の制御に従って、投影画像（静止画、又は動画）の第１部分、例えば、図１に示す投影画像１０８のうち、プロジェクタ１０１−１の投影領域１０７−１の画像を投影する。
【０１２２】
ステップ９１７において、ユーザは、情報端末１０２に対して、マルチ投影の終了操作を行う。
【０１２３】
ステップＳ９１８において、情報端末１０２は、ユーザによるマルチ投影の終了操作を受付すると、プロジェクタ１０１に対して、マルチ投影の終了指示を送信する。
【０１２４】
ステップＳ９１９において、プロジェクタ１０１の通信部５０１は、情報端末１０２からマルチ投影の終了指示を受信すると、受信したマルチ投影の終了指示を投影ジョブ制御部５０４に通知する。
【０１２５】
ステップＳ９２０において、投影ジョブ制御部５０４は、表示制御部５０７に対して、マルチ投影の終了を指示する。
【０１２６】
ステップＳ９２１において、表示制御部５０７の第２の表示制御部５１２はマルチ投影を終了し、第１の表示制御部５１１は、表示状態記憶部５０８に記憶された状態を読出する。ここでは、表示状態記憶部５０８には、ステップＳ９１４で記憶された、マルチ投影が行われたことを示す情報が読出される。
【０１２７】
ステップＳ９２２において、表示制御部５０７の第１の表示制御部５１１は、最後に投影対象となる画像を投影したときに、マルチ投影が行われたと判断し、待受画面の表示処理を中止する。
【０１２８】
例えば、ステップＳ９２３において、表示制御部５０７の第１の表示制御部５１１は、投影部５０５に対して、画像の投影終了を指示する。
【０１２９】
ステップＳ９２４において、プロジェクタ１０１の投影部５０５は、第１の表示制御部５１１の制御に従って、画像の投影を終了する。
【０１３０】
別の一例として、表示制御部５０７の第１の表示制御部５１１は、ステップＳ９２３において、投影部５０５に対して、例えば、黒画面等のプロジェクタ１０１に関する情報を含まない表示画面の投影を指示するものであっても良い。この場合、ステップＳ９２４において、投影部５０５は、第１の表示制御部５１１の制御に従って、例えば、黒画面等のプロジェクタ１０１に関する情報を含まない表示画面を投影する。
【０１３１】
続いて、図１０に示すシーケンス図の説明を行う。
【０１３２】
ステップＳ１００１において、ユーザは、単独投影の開始操作を行う。
【０１３３】
ステップＳ１００２において、情報端末１０２は、ユーザによる単独投影の開始操作を受付すると、プロジェクタ１０１に単独投影の開始指示を送信する。
【０１３４】
ステップＳ１００３において、プロジェクタ１０１の通信部５０１は、情報端末１０２から、単独投影の開始操作を受信すると、受信した単独投影の開始操作を投影ジョブ制御部５０４に通知する。
【０１３５】
ステップＳ１００４において、プロジェクタ１０１の投影ジョブ制御部５０４は、投影対象となる画像データの取得を、画像データ取得部５０２に指示する。
【０１３６】
ステップＳ１００５において、プロジェクタ１０１の画像データ取得部５０２は、例えば、外部機器Ｉ／Ｆ４０５に接続された外部記憶装置１０９等から、投影対象となる画像データを取得し、メモリ４０２に記憶する。
【０１３７】
ステップＳ１００６において、画像データ取得部５０２は、画像データの取得が完了したことを示す完了通知を、投影ジョブ制御部５０４に通知する。
【０１３８】
ステップＳ１００７において、投影ジョブ制御部５０４は、マルチ投影の開始指示に含まれる制御情報を用いて、画像処理制御部５０３に画像処理を指示する。
【０１３９】
ステップＳ１００８において、画像処理制御部５０３は、投影ジョブ制御部５０４から通知された制御情報に従って、画像データ取得部５０２が取得した画像データに対して、例えば、デコード、変倍等の画像処理を実行する。
【０１４０】
ステップＳ１００９において、投影ジョブ制御部５０４は、表示制御部５０７に単独投影の開始を指示する。
【０１４１】
ステップＳ１０１０において、表示制御部５０７の第３の表示制御部５１３は、投影ジョブ制御部５０４から、単独投影の開始の指示を受付すると、表示状態記憶部５０８に単独投影が行われることを示す情報（第２の情報）を記憶（例えば、上書き）する。
【０１４２】
ステップＳ１０１１において、第３の表示制御部５１３、画像処理制御部５０３が画像処理を行った画像を、投影部５０５に表示させる。
【０１４３】
ステップＳ１０１２において、プロジェクタ１０１の投影部５０５は、表示制御部５０７の制御に従って、投影画像（静止画、又は動画）を投影（単独投影）する。
【０１４４】
ステップＳ１０１３において、ユーザは、情報端末１０２に対して、単独投影の終了操作を行う。
【０１４５】
ステップＳ１０１４において、情報端末１０２は、ユーザによる単独投影の終了操作を受付すると、プロジェクタ１０１に対して、単独投影の終了指示を送信する。
【０１４６】
ステップＳ１０１５において、プロジェクタ１０１の通信部５０１は、情報端末１０２から単独投影の終了指示を受信すると、受信した単独投影の終了指示を投影ジョブ制御部５０４に通知する。
【０１４７】
ステップＳ１０１６において、投影ジョブ制御部５０４は、表示制御部５０７に対して、単独投影の終了を指示する。
【０１４８】
ステップＳ１０１７において、表示制御部５０７の第３の表示制御部５１３は単独投影を終了し、第１の表示制御部５１１は、表示状態記憶部５０８に記憶された状態を読出する。ここでは、表示状態記憶部５０８には、ステップＳ９３２で記憶された、単独投影が行われたことを示す情報が読出される。
【０１４９】
ステップＳ１０１８において、表示制御部５０７の第１の表示制御部５１１は、最後に投影対象となる画像を投影したときにマルチ投影が行われていない（単独投影が行われた）と判断し、待受画面を投影部５０５に表示させる。
【０１５０】
ステップＳ１０１９において、プロジェクタ１０１の投影部５０５は、例えば、図２に示すような待受画面を投影面１０６に表示させる。
【０１５１】
このように、本実施形態によれば、プロジェクタ１０１は、マルチ投影を行った後、プロジェクタ１０１に関する情報を表示する待受画面を表示させる制御を中止する。
【０１５２】
従って、複数のプロジェクタ（表示装置）１０１を用いて所定の画像を表示する画像表示システム１００において、所定の画像を表示した後の外観が損なわれることを低減させるプロジェクタ（表示装置）１０１を提供することができる。
【０１５３】
［第２の実施形態］
本実施形態に係るプロジェクタ１０１は、マルチ投影を行った後、待受画面の表示処理を中止するが、例えば、他のプロジェクタ１０１でマルチ投影の設定が変更された場合、待受画面の表示処理を再開することが望ましい。これにより、例えば、ユーザは、全てのプロジェクタ１０１の設定を１台ずつ変更する作業を行わなくても良いので、ユーザの負担を軽減させることができる。
【０１５４】
図１１は、第２の実施形態に係る画像表示システムの表示処理の例を示すシーケンス図である。なお、図１１のステップＳ７０１〜Ｓ７１０の処理は、図７に示す第１の実施形態に係る処理と同様なので、ここでは、第１の実施形態との相違点を中心に説明を行う。
【０１５５】
ステップＳ７０９、Ｓ７１０において、プロジェクタ１０１−１、１０１−２は、待受画面の表示処理を中止し、例えば、黒画面を表示しているものとする。
【０１５６】
ステップＳ１１０１において、ユーザが、プロジェクタ１０１−１の入力切替え操作を行い、入力を「ネットワーク」から「ＵＳＢ」に切替える。
【０１５７】
ステップＳ１１０２において、プロジェクタ１０１−１の操作受付部５０６が、「ＵＳＢ」への入力切替え操作を受付すると、表示制御部５０７の第１の表示制御部５１１は、ＵＳＢの入力画面を、投影部５０５に表示させる。
【０１５８】
ステップＳ１１０３において、プロジェクタ１０１−１の変更情報通知部５０９は、プロジェクタ１０１−１の設定が変更されたことを示す変更情報を、他のプロジェクタ１０１に通知する（例えば、無線ＬＡＮ通信でブロードキャスト送信する）。
【０１５９】
ステップＳ１１０４において、プロジェクタ１０１−１から変更情報を受付けた他のプロジェクタの一例であるプロジェクタ１０１−２の第１の表示制御部５１１は、待受画面の表示を再開する。
【０１６０】
ステップＳ１１０５において、ユーザが、プロジェクタ１０１−１の入力切替え操作を行い、入力を「ＵＳＢ」から、再び「ネットワーク」に切替える。
【０１６１】
ステップＳ１１０６において、プロジェクタ１０１−１の操作受付部５０６が、「ネットワーク」への入力切替え操作を受付すると、表示制御部５０７の第１の表示制御部５１１は、待受画面を、投影部５０５に表示させる。
【０１６２】
なお、このように、プロジェクタ１０１が、待受画面の表示を中止した状態（黒画面を表示した状態）でない場合、変更情報通知部５０９は、変更情報を他のプロジェクタ１０１に通知しなくても良い（通知しても良い）。
【０１６３】
本実施形態によれば、複数のプロジェクタ１０１でマルチ投影をした後、待受画面を表示する処理を中止した複数のプロジェクタ１０１に対して、容易に待受画面の表示を再開させることができるようになる。
【符号の説明】
【０１６４】
１００      画像表示システム
１０１      プロジェクタ（表示装置の一例）
５０１      通信部（受信部）
５０２      画像データ取得部（取得部）
５０５      投影部（表示部）
５０８      表示状態記憶部
５０９      変更情報通知部
５１１      第１の表示制御部
５１２      第２の表示制御部
５１３      第３の表示制御部
【先行技術文献】
【特許文献】
【０１６５】
【特許文献１】特開２０１５−２６９９２号公報
【特許文献２】特開２０１３−０７６４９号公報
【図１】
2018017841.tif 000003
【図２】
2018017841.tif 000004
【図３】
2018017841.tif 000005
【図４】
2018017841.tif 000006
【図５】
2018017841.tif 000007
【図６】
2018017841.tif 000008
【図７】
2018017841.tif 000009
【図８】
2018017841.tif 000010
【図９】
2018017841.tif 000011
【図１０】
2018017841.tif 000012
【図１１】
2018017841.tif 000013